(57)【要約】      （修正有）【課題】戸パネルに装着される引手において、引手の交換を簡便に行うことができ、見た目のデザイン性にも優れており、さらに全体構造を簡素化してコストの削減を図る。【解決手段】引手は、戸パネル３の引手穴７の前後に装着される一対の引手本体８、９と、一対の引手本体８、９を締結する引手ビス１０と、各引手本体８、９に係合装着される内ケース１１とを備える。引手本体８、９は、凹形容器状のケース部１５と鍔部１６とを備える。一方の引手本体８のケース部１５の底壁１５ｂに、ビス頭１０ａを受止めるビス座１７を形成し、他方の引手本体９のケース部１５の底壁１５ｂに、引手ビス１０用の雌ねじ１８を形成する。ケース部１５の側壁１５ａと内ケース１１の内側壁１１ａの複数個所に、内ケース１１を引手本体８、９に固定する突係合体２２と凹係合体１９とを形成する。ケース部１５に装着した内ケース１１で、ビス頭１０ａが覆われている。【選択図】図１
0003230477.tif 000002
【実用新案登録請求の範囲】
【請求項１】
戸パネル（３）に形成した引手穴（７）の前後に装着される一対の引手本体（８・９）と、一対の引手本体（８・９）どうしを締結して引手穴（７）に固定する複数個の引手ビス（１０）と、各引手本体（８・９）の内面に係合装着される内ケース（１１）とを備え、
引手本体（８・９）は、引手穴（７）に収容される凹形容器状のケース部（１５）と、ケース部（１５）の開口周縁に張出し形成される鍔部（１６）とを一体に備えており、
一方の引手本体（８）のケース部（１５）の底壁（１５ｂ）には、引手ビス（１０）のビス頭（１０ａ）を受止めるビス座（１７）が形成され、他方の引手本体（９）のケース部（１５）の底壁（１５ｂ）には、引手ビス（１０）がねじ込まれる雌ねじ（１８）が形成されており、
ケース部（１５）の側壁（１５ａ）の複数個所と、同側壁（１５ａ）に係合する内ケース（１１）の内側壁（１１ａ）の複数個所に、互いに凹凸係合して内ケース（１１）を引手本体（８・９）に固定する突係合体（２２）と凹係合体（１９）とが形成されており、
ケース部（１５）に係合装着した内ケース（１１）で、少なくともビス頭（１０ａ）が覆われるように構成されていることを特徴とする引手。
【請求項２】
一対の引手本体（８・９）と内ケース（１１）とは、それぞれプラスチック成型品で形成されており、
引手本体（９）のケース部（１５）の底壁（１５ｂ）に設けられる雌ねじが、底壁（１５ｂ）に固定したナット体（１８）で形成されており、
引手ビス（１０）のビス頭（１０ａ）と、ナット体（１８）の外面が内ケース（１１）で覆われている請求項１に記載の引手。
【請求項３】
引手本体（８・９）のケース部（１５）の側壁（１５ａ）の上下に凹係合体（１９）が切欠き形成され、内ケース（１１）の内側壁（１１ａ）の上下に突係合体（２２）が形成されており、
引手本体（８・９）のケース部（１５）の開口内縁に、突係合体（２２）と凹係合体（１９）の係合を強制的に解除するための工具溝（２０）が凹み形成されている請求項１、または２に記載の引手。
【請求項４】
工具溝（２０）と対向する手掛け凹部（２１）の外面に工具の先端を受止める係止溝（２３）が形成されている、請求項３記載の引手。
【請求項５】
引手穴（７）の内部で対向する一対の引手本体（８・９）の底壁（１５ｂ・１５ｂ）の間にスペーサー（１２）が配置されており、
一対の引手本体（８・９）を引手ビス（１０）で締結した状態において、一対の引手本体（８・９）の底壁（１５ｂ・１５ｂ）がスペーサー（１２）で受止められている請求項１から４のいずれかひとつに記載の引手。
【請求項６】
引手穴（７）と引手本体（８・９）のケース部（１５）が、それぞれ縦長四角形状に形成されており、
内ケース（１１）には縦長四角形状に形成された手掛け凹部（２１）が形成されており、
内ケース（１１）の手掛け凹部（２１）を引手本体（８・９）のケース部（１５）に係合した状態において、手掛け凹部（２１）の開口面がケース部（１５）の開口面と面一になっている請求項１から５のいずれかひとつに記載の引手。
【請求項７】
ナット体（１８）が、ねじ穴を備えたねじボス（１８ａ）と、ねじボス（１８ａ）の一端に張出し形成される非円形の鍔部（１８ｂ）を一体に備えており、
鍔部（１８ｂ）がケース部（１５）の内面に突出しない状態で、底壁（１５ｂ）の肉壁で受止められている請求項２から６のいずれかひとつに記載の引手。
【請求項８】
一対の引手本体（８・９）が、ケース部（１５）の底壁（１５ｂ）の上下寄りと上下中央に設けた３個の引手ビス（１０）で締結されており、
突係合体（２２）と凹係合体（１９）が、ケース部（１５）の底壁（１５ｂ）の上下寄りに設けた引手ビス（１０）の近傍に設けられている請求項３から７のいずれかひとつに記載の引手。
【請求項９】
ねじ部の長さが異なる引手ビス（１０）と、前後厚みが異なるスペーサー（１２）が、戸パネル（３）の厚みの違いに応じて複数種用意されている請求項３から８のいずれかひとつに記載の引手。
【考案の詳細な説明】
【技術分野】
【０００１】
本考案は、引戸を構成する戸パネルに装着される引手に関する。
【背景技術】
【０００２】
引戸を構成する戸パネルに対する引手の取付け構造には、大別して圧嵌装着構造と、ビス止め構造とがある。圧嵌装着構造は、例えば特許文献１に開示されており、開閉部材（戸パネル）に形成した凹孔または通口に、引手と固定金具を嵌込んで固定している。引手は鋼板を縦長の皿状にプレスして形成されており、周縁に鍔片が張出し形成されている。引手の対向する側壁の外面には、係合溝が凹み形成されている。固定金具は、ステンレス鋼板を断面Ｕ字状に成形して構成されており、対向する側片の端縁に斜め外向きの屈曲片が折曲げられ、屈曲片の突端に３個の山形の突起が形成されている。引手を凹孔に取付ける場合には、凹孔の内部に固定金具を仮組みしたのち、固定金具の対向する側片の間に引手を係合して、突起を木部に食い込ませると同時に、屈曲片の基端の係合部を引手の係合溝に係合して、引手を開閉部材と一体化する。
【０００３】
ビス止め構造は、例えば特許文献２に開示されており、戸（戸パネル）に形成した貫通穴の表裏から一対の引手を挿入し、片方の引手の上隅および下隅に設けた斜めの取付穴に挿通したねじを木部にねじ込んで、一対の引手を同時に固定する。引手の一方には、接続具がスプリングピンで固定されており、先のねじは接続具に形成した長穴状の取付部を介して木部にねじ込まれている。スプリングピンが固定される側の引手には、スプリングピンの固定位置を変更する調整用孔が２個設けられており、戸の厚みの違いに対応して引手を貫通穴に装着することができる。
【０００４】
本考案の引手は、基本的にビス止め構造であるが、引手本体の内面に内ケースを固定して、ビス頭が露出するのを避けている。このように、ビス頭の露出を防ぐ引手の構造は特許文献３に開示されている。特許文献３では、引戸に形成される引手取付孔の表裏に引手を嵌め込み、片方の引手の底壁上下のビス孔に挿通したビスを、他方の引手のネジ穴にねじ込んで、一対の引手を引戸に固定している。ビス穴を含む引手の引手溝の底壁には凹部が形成されており、この凹部に板状のマグネットを固定し、マグネットで吸着保持した化粧板でビス頭の外面を覆っている。
【先行技術文献】
【特許文献】
【０００５】
【特許文献１】特開平０８−１４４５８４号公報
【特許文献２】特開２００２−１７４０５８号公報
【特許文献３】実開平０４−１００７７１号公報
【考案の概要】
【考案が解決しようとする課題】
【０００６】
特許文献１の圧嵌装着構造によれば、ビスを使わずに引手を戸パネルに固定することができるので、見た目のデザイン性に優れた引手および引戸を得ることができる。しかし、固定金具の突起を木部に食い込ませて引手を固定するので、引手を交換するのが難しい。また、引手を取外すことができたとしても、木部に突起の食い込み傷が残るので、手間を掛けて食い込み傷を補修してからでないと引手を強固に再固定することはできない。
【０００７】
一方、特許文献２のビス止め構造によれば、ねじを取外すだけでよく、木部のねじ込み穴の補修も簡単に行えるので、一対の引手を簡単に交換できるうえ、戸の厚みの違いにも対応できる利点がある。しかし、片方の引手の上隅および下隅にねじの操作頭部が露出するので、見た目のデザイン性が損なわれてしまう不利がある。さらに、引手の上隅および下隅をねじで固定するだけであるので、引手が縦長である場合に中央部ががた付きやすく、長期使用時にねじがゆるむおそれもある。
【０００８】
特許文献３の引手によれば、マグネットで吸着保持した化粧板でビス頭の外面を覆うので、見た目のデザイン性に優れている。また、表裏の引手をビスで締結して引手取付孔に固定するので、引手の交換も容易に行える。しかし、引手とは別にマグネットと化粧板を用意する必要があり、さらに引手にマグネットを収容する凹部を形成しておく必要があるので、引手の全体構造が複雑になり、その分だけコストが嵩むのを避けられない。
【０００９】
本考案の目的は、引手の交換を簡便に行うことができ、見た目のデザイン性にも優れ、しかも引手の全体構造を簡素化してコストを削減できる、引手を得ることにある。
【課題を解決するための手段】
【００１０】
本考案の引手は、戸パネル３に形成した引手穴７の前後に装着される一対の引手本体８・９と、一対の引手本体８・９どうしを締結して引手穴７に固定する複数個の引手ビス１０と、各引手本体８・９の内面に係合装着される内ケース１１とを備えている。引手本体８・９は、引手穴７に収容される凹形容器状のケース部１５と、ケース部１５の開口周縁に張出し形成される鍔部１６とを一体に備えている。一方の引手本体８のケース部１５の底壁１５ｂには、引手ビス１０のビス頭１０ａを受止めるビス座１７が形成され、他方の引手本体９のケース部１５の底壁１５ｂには、引手ビス１０がねじ込まれる雌ねじ１８が形成されている。ケース部１５の側壁１５ａの複数個所と、同側壁１５ａに係合する内ケース１１の内側壁１１ａの複数個所に、互いに凹凸係合して内ケース１１を引手本体８・９に固定する突係合体２２と凹係合体１９とが形成されている。ケース部１５に係合装着した内ケース１１で、少なくともビス頭１０ａが覆われていることを特徴とする。
【００１１】
一対の引手本体８・９と内ケース１１は、それぞれプラスチック成型品で形成されている。引手本体９のケース部１５の底壁１５ｂに設けられる雌ねじは、底壁１５ｂに固定したナット体１８で形成されている。引手ビス１０のビス頭１０ａと、ナット体１８の外面が内ケース１１で覆われている。雌ねじ１８は、例えばケース部１５の底壁１５ｂにインサート固定し、あるいは接着固定してある。
【００１２】
引手本体８・９のケース部１５の側壁１５ａの上下に凹係合体１９が切欠き形成され、内ケース１１の内側壁１１ａの上下に突係合体２２が形成されている。引手本体８・９のケース部１５の開口内縁に、突係合体２２と凹係合体１９の係合を強制的に解除する工具溝２０が凹み形成されている。
【００１３】
工具溝２０と対向する手掛け凹部２１の外面に工具の先端を受止める係止溝２３が形成されている
【００１４】
引手穴７の内部で対向する一対の引手本体８・９の底壁１５ｂ・１５ｂの間にスペーサー１２が配置されている。一対の引手本体８・９を引手ビス１０で締結した状態において、一対の引手本体８・９の底壁１５ｂ・１５ｂがスペーサー１２で受止められている。
【００１５】
引手穴７と引手本体８・９のケース部１５が、それぞれ縦長四角形状に形成されている。内ケース１１には縦長四角形状に形成される手掛け凹部２１が形成されている。内ケース１１の手掛け凹部２１を引手本体８・９のケース部１５に係合した状態において、手掛け凹部２１の開口面がケース部１５の開口面と面一になっている。
【００１６】
ナット体１８は、ねじ穴を備えたねじボス１８ａと、ねじボス１８ａの一端に張出し形成される非円形の鍔部１８ｂを一体に備えている。鍔部１８ｂはケース部１５の内面に突出しない状態で、底壁１５ｂの肉壁で受止められている。
【００１７】
一対の引手本体８・９は、ケース部１５の底壁１５ｂの上下寄りと上下中央に設けた３個の引手ビス１０で締結されている。突係合体２２と凹係合体１９が、ケース部１５の底壁１５ｂの上下寄りに設けた引手ビス１０の近傍に設けられている。
【００１８】
ねじ部の長さが異なる引手ビス１０と、前後厚みが異なるスペーサー１２が、戸パネル３の厚みの違いに応じて複数種用意されている。
【考案の効果】
【００１９】
本考案の引手では、一対の引手本体８・９を引手ビス１０で締結して引手穴７に固定するようにした。また、引手本体８・９のケース部１５と、ケース部１５に係合装着される内ケース１１に、互いに凹凸係合する凹係合体１９と突係合体２２とを設けて、内ケース１１を引手本体８・９に固定すると同時に、ビス頭１０ａを内ケース１１で覆うようにした。こうした引手によれば、内ケース１１を引手本体８・９から取外して、引手ビス１０を緩めることで、引手本体８・９や内ケース１１の交換を簡便に行うことができる。つまり、引手の交換を簡便に行うことができる。また、ビス頭１０ａを内ケース１１で覆い隠すことができるので、引手の外観の印象をすっきりさせて、引手のデザイン性の向上を図ることができる。さらに、引手とは別にマグネットと化粧板を用意する必要があった従来の引手に比べて、引手の全体構造を簡素化してコスト削減を図ることができる。
【００２０】
引手本体８・９と内ケース１１とを、それぞれプラスチック成型品で形成し、引手本体９のケース部１５の底壁１５ｂにナット体１８を固定して雌ねじを構成すると、引手ビス１０をナット体１８にねじ込んで、引手本体８・９を引手穴７に締結固定することができる。これにより、ねじを木部にねじ込んで引手を固定する従来の引手に比べて、ネジ穴が傷むことがなく、引手本体８・９を引手ビス１０で繰返し締結する場合でも、引手本体８・９を引手穴７に確実にかつ強固に固定することができる。
【００２１】
引手本体８・９のケース部１５の側壁１５ａの上下に凹係合体１９が切欠き形成され、内ケース１１の内側壁１１ａの上下に突係合体２２が形成され、引手本体８・９のケース部１５の開口内縁に、突係合体２２と凹係合体１９の係合を強制的に解除するための工具溝２０が凹み形成されていると、例えばマイナスドライバーの刃部の先端を工具溝２０に差し込んで、内ケース１１を引手本体８から離れる向きにこじ開けることで、突係合体２２と凹係合体１９の係合を解除して、内ケース１１を引手本体８から容易に取外すことができるので、引手本体８・９や内ケース１１の交換作業を簡便かつ確実に行うことができる。また、内ケース１１をマイナスドライバーでこじ開ける際に、引手本体８・９や内ケース１１が傷付いて外観が損なわれることも防ぐことができる。
【００２２】
そのうえで、工具溝２０と対向する手掛け凹部２１の外面に工具の先端を受止める係止溝２３を形成すると、例えばマイナスドライバーを工具溝２０に差込んで、内ケース１１をこじ開ける方向に傾けたとき、マイナスドライバーの刃部の先端が係止溝２３で受止められるので、マイナスドライバーによるこじ開け力を、内ケース１１に対して的確に作用させることができる。
【００２３】
引手本体８・９の底壁１５ｂ・１５ｂの間にスペーサー１２を配置し、引手本体８・９を引手ビス１０で締結した状態において、底壁１５ｂ・１５ｂがスペーサー１２で受止められるようにしていると、引手ビス１０が必要以上にねじ込まれて、引手本体８・９の底壁１５ｂ・１５ｂが撓み変形するのをスペーサー１２で確実に防止することができる。特に引手本体８・９がプラスチック成形品である場合には、底壁１５ｂ・１５ｂが撓み変形しようとするのをスペーサー１２で受止めて、底壁１５ｂ・１５ｂの変形を防止することができるので、引手本体８・９を引手穴７に的確に締結固定することができる。
【００２４】
引手穴７と引手本体８・９のケース部１５を、それぞれ縦長四角形状に形成し、内ケース１１は縦長四角形状に形成される手掛け凹部２１を備えるようにし、内ケース１１の手掛け凹部２１を引手本体８・９のケース部１５に係合した状態において、手掛け凹部２１の開口面がケース部１５の開口面と面一になるようにしていると、手掛け凹部２１およびケース部１５の開口面に連続して鍔部１６が張出されることができるので、ケース部１５と内ケース１１の一体感を向上して、引手の外観をすっきりさせることができる。
【００２５】
ねじ穴を備えたねじボス１８ａと、ねじボス１８ａの一端に張出し形成される非円形の鍔部１８ｂでナット体１８を構成し、引手ビス１０をナット体１８にねじ込んだ場合に、鍔部１８ｂがケース部１５の内面に突出しない状態で、底壁１５ｂの肉壁で受止められるようにした。こうしたナット体１８によれば、ナット体１８をケース部１５の底壁１５ｂにインサート固定する必要がないうえ、鍔部１８ｂを底壁１５ｂに接着固定する必要もない。また、引手ビス１０をナット体１８にねじ込んだ状態では、ねじボス１８ａが前側の引手本体８の底壁１５ｂを受止めるので、底壁１５ｂが撓み変形するのを防止できるうえ、スペーサー１２を省略できる利点もある。さらに、ナット体１８の全長にわたってねじ穴が形成されるので、引手ビス１０の長さの精度を厳密にする必要がなく、戸パネル３の厚みの大小に柔軟に対応できる。加えて、戸パネル３の厚みの幅範囲が小さい場合には、引手ビス１０の長さを１種類に統一することもできる。
【００２６】
引手本体８・９を、ケース部１５の底壁１５ｂの上下寄りと上下中央に設けた３個の引手ビス１０で締結していると、ケース部１５の底壁１５ｂのうち、上下寄りと上下中央の締結に適した３個所を引手ビス１０で締結することができるので、例えば底壁１５ｂの上下のみを引手ビス１０で締結するような場合に比べて、引手本体８・９を確実かつ強固に締結することができる。また、突係合体２２と凹係合体１９を、ケース部１５の底壁１５ｂの上下寄りに設けた引手ビス１０の近傍に設けていると、内ケース１１をケース部１５に係合装着し、あるいは、内ケース１１をケース部１５から取外すような場合に、突係合体２２と凹係合体１９に作用する外力の一部を、強固に締結された上下の引手ビス１０の締結部分に受止めさせることができる。したがって、内ケース１１のケース部１５に対する着脱を、より確実に行うことができる。
【００２７】
ねじ部の長さが異なる引手ビス１０と、前後厚みが異なるスペーサー１２を、戸パネル３の厚みの違いに応じて複数種用意していると、厚みが異なる戸パネル３に引手を装着する場合に、戸パネル３の厚みに応じた引手ビス１０とスペーサー１２を使用することで、主な構造体である引手本体８・９とケース部１５を共通して使用できるので、引手の全体コストが嵩むのを解消できる。
【図面の簡単な説明】
【００２８】
【図１】本考案の実施例１に係る引手を示す図２におけるＡ―Ａ線断面図である。
【図２】戸パネルおよび引手を示す正面図である。
【図３】図１におけるＢ―Ｂ線断面図である。
【図４】引手の分解斜視図である。
【図５】本考案の実施例２に係る引手を示す図３と同等位置の断面図である。
【考案を実施するための形態】
【００２９】
（実施例１）図１ないし図４に本考案に係る引手の実施例１を示す。実施例１における前後、左右、上下とは、図２、図３に示す交差矢印と、矢印の近傍の前後、左右、上下の表記に従う。図２に示すように、引き戸は開口枠１と、同枠１の上部に固定したガイドレール２で開閉案内される戸パネル３とを備える。戸パネル３は、ガイドレール２の内部に設けた一対の吊車型のランナー４と、床面に固定した振止め具５に支持されて、閉じ位置と全開放位置の間でスライド開閉可能に構成されている。戸パネル３の閉じ端側には、戸パネル３を開閉操作するための引手が装着されている。戸パネル３の前後厚みは３０ｍｍである。
【００３０】
図４に示すように引手は、戸パネル３に形成した引手穴７の前後に装着される一対の引手本体８・９と、一対の引手本体８・９どうしを締結して引手穴７に固定する３個の引手ビス１０と、各引手本体８・９の内面に係合装着される内ケース１１・１１と、引手本体８・９の間に配置されるスペーサー１２とで構成される。引手穴７は、縦長四角形状の前後貫通状の穴として形成されている。引手本体８・９は、それぞれ引手穴７に収容されるケース部１５と、ケース部１５の開口周縁に張出し形成される鍔部１６とを一体に備えるプラスチック成型品からなる。ケース部１５は引手穴７と同じ縦長四角形状に形成されており、その側壁１５ａ・１５ａと底壁１５ｂと上下壁１５ｃ・１５ｃとで凹形容器状に形成されている。鍔部１６は、ケース部１５の開口周縁から上下および左右に張出されて、ケース部１５よりひと回り大きな縦長四角形状に形成されている。引手ビス１０は皿ビスである。
【００３１】
一対の引手本体８・９のうち、戸パネル３の前面側から引手穴７に組み付けられる前側の引手本体８のケース部１５の底壁１５ｂの上下３個所には、引手ビス１０のビス頭１０ａを受止めるビス座１７が形成され、後側の引手本体９のケース部１５の底壁１５ｂには、引手ビス１０をねじ込むための金属製のナット体（雌ねじ）１８がインサート固定されている。また、ケース部１５の側壁１５ａの上下２個所には、内ケース１１を引手本体８・９に固定するための凹係合体１９が縦長溝状に切欠き形成されている。さらに、ケース部１５の下壁１５ｃ側の開口内縁には工具溝２０が凹み形成されている。
【００３２】
内ケース１１は、一対の内側壁１１ａと底壁１１ｂと上下壁１１ｃとを有する縦長の凹形容器状に形成されたプラスチック成型品からなり、その内面に手掛け凹部２１が設けられている。また、左右の内側壁１１ａの外面の上下２個所には、先の凹係合体１９と係合する突係合体２２が形成され、先の工具溝２０と対向する内ケース１１の下壁１１ｃの外面には係止溝２３が形成されている。スペーサー１２は縦長四角枠状のプラスチック成型品からなり、引手穴７の内部に組付けられる。戸パネル３の前後厚みが３０ｍｍである場合のスペーサー１２の前後厚みは１０ｍｍとする。戸パネル３の前後厚みが２０ｍｍである場合には、スペーサー１２は省略することができる。
【００３３】
以上のように構成した引手は、例えば以下の手順で引手穴７に組付けられる。まず、スペーサー１２を引手穴７の中途部に差込み係合し、前側の引手本体８と後側の引手本体９の各ケース部１５を、引手穴７の内部に前後から係合して、それぞれの鍔部１６を引手穴７の開口周縁壁に密着させる。この状態では、ナット体１８がビス座１７と正対しているため、ビス座１７に挿通した引手ビス１０をナット体１８にねじ込むことで、一対の引手本体８・９を引手穴７に固定することができる。引手ビス１０をナット体１８にねじ込むことにより、一対の引手本体８・９の底壁１５ｂがスペーサー１２で受止められる。最後に、前側の引手本体８と後側の引手本体９の各ケース部１５に前後の内ケース１１を仮組みし、各内ケース１１を各引手本体８・９に強圧して、突係合体２２を凹係合体１９に落込み係合させて、ケース部１５の内面全体を内ケース１１で覆い、ビス頭１０ａおよびナット体１８を覆い隠す。この状態の内ケース１１の手掛け凹部２１の開口面は、ケース部１５の開口面と面一になっている。また、突係合体２２と凹係合体１９は、ケース部１５の底壁１５ｂの上下寄りに設けた引手ビス１０の近傍で係合している。
【００３４】
引手本体８・９のいずれか一方が破損したような場合には、破損した側の引手本体８（または９）を交換する。詳しくは、マイナスドライバー（工具）の刃部の先端を前側の引手本体８に設けた工具溝２０に差し込んで、内ケース１１の下端の係止溝２３に刃部の先端が当たる状態で、内ケース１１の下部を引手本体８から離れる向きにこじ開けて、下側に突係合体２２と凹係合体１９の係合を強制的に解除する。さらに内ケース１１を引き起こして、引手本体８上側の突係合体２２と凹係合体１９の係合を解除して内ケース１１を取外す。この状態で、３個の引手ビス１０を緩めることにより引手本体８・９を引手穴７から取外して、後側の内ケース１１を引手本体９から分離する。以後は、破損した側の引手本体８（または９）、または前後の引手本体８・９を交換して、先に説明した手順で引手穴７に固定し、内ケース１１を引手本体８・９に組付ける。
【００３５】
戸パネル３の前後厚みが２０ｍｍである場合には、上記の引手ビス１０よりねじ部の長さが１０ｍｍ小さな引手ビス１０を用意しておくとよい。さらに、戸パネル３の厚みが異なる場合には、厚みの違いに応じた引手ビス１０とスペーサー１２を用意しておくとよい。
【００３６】
（実施例２）図５にナット体１８の構造を変更した実施例２の引手構造を示す。この実施例では、ナット体１８が、ねじ穴を備えたねじボス１８ａと、ねじボス１８ａの一端に張出し形成される非円形の鍔部１８ｂを一体に備えるようにした。鍔部１８ｂの基本形状は円形であるが、回止めのために対向縁が平行に切除してある。また、ケース部１５の底壁１５ｂに鍔部１８ｂを受止める凹部１５ｄを形成して、引手ビス１０がナット体１８にねじ込まれた状態において、鍔部１８ｂがケース部１５の内面に突出しない状態で、底壁１５ｂの凹部１５ｄで受け止められるようにした。鍔部１８ｂは、多角形状やＤ字形、あるいは楕円形など非円形に形成してあればよい。他は、実施例１と同じであるので、同じ部材に同じ符号を付して、その説明を省略する。
【００３７】
実施例２によれば、ナット体１８をケース部１５の底壁１５ｂにインサート固定する必要がないうえ、鍔部１８ｂを底壁１５ｂに接着固定する必要もない。また、引手ビス１０をナット体１８にねじ込んだ状態では、ねじボス１８ａが前側の引手本体８の底壁１５ｂを受止めるので、底壁１５ｂが撓み変形するのを防止できるうえ、スペーサー１２を省略できる利点もある。さらに、ナット体１８の全長にわたってねじ穴が形成されるので、引手ビス１０の長さの精度を厳密にする必要がなく、戸パネル３の厚みの大小に柔軟に対応できる。加えて、戸パネル３の厚みの幅範囲が小さい場合には、引手ビス１０の長さを１種類に統一することもできる。
【００３８】
以上のように実施例に係る引手では、一対の引手本体８・９を引手ビス１０で締結して引手穴７に固定するようにした。また、引手本体８・９のケース部１５と、ケース部１５に係合装着される内ケース１１に、互いに凹凸係合する凹係合体１９と突係合体２２を設けて、内ケース１１を引手本体８・９に固定すると同時に、ビス頭１０ａを内ケース１１で覆うようにした。こうした引手によれば、内ケース１１を引手本体８・９から取外して、引手ビス１０を緩めることで、引手本体８・９や内ケース１１の交換を簡便に行うことができる。また、ビス頭１０ａを内ケース１１で覆い隠すことができるので、外観の印象をすっきりさせて見た目のデザイン性に優れた引手を得ることができる。さらに、引手とは別にマグネットと化粧板を用意する必要があった従来の引手に比べて、引手の全体構造を簡素化してコストを削減できる。加えて、引手ビス１０が緩むことがあったとしても、ビス頭１０ａが内ケース１１の底壁１１ｂで受止められるので、それ以上、引手ビス１０が緩むことを防止できる。
【００３９】
引手本体８・９と内ケース１１は、それぞれプラスチック成型品で形成し、引手本体９のケース部１５の底壁１５ｂにナット体１８を例えばインサート固定して雌ねじとしたので、ビス頭１０ａとナット体１８の外面を内ケース１１で覆って、戸パネル３の前面および後面における引手の外観の印象をすっきりさせて、見た目のデザイン性の向上を図ることができる。また、引手ビス１０をナット体１８にねじ込んで、引手本体８・９を引手穴７に締結固定するので、ねじを木部にねじ込んで引手を固定する従来の引手に比べて、ナット体１８のねじ穴が傷むことがなく、引手本体８・９を引手ビス１０で繰返し締結する場合でも、引手本体８・９を引手穴７に確実にかつ強固に固定することができる。
【００４０】
引手本体８・９のケース部１５の側壁１５ａの上下に凹係合体１９を切欠き形成し、内ケース１１の内側壁１１ａの上下に突係合体２２を形成するようにし、引手本体８・９のケース部１５の開口内縁に、突係合体２２と凹係合体１９の係合を強制的に解除する工具溝２０を凹み形成したので、例えばマイナスドライバーの刃部の先端を工具溝２０に差し込んで、内ケース１１を引手本体８から離れる向きにこじ開けることで、突係合体２２と凹係合体１９の係合を解除して、内ケース１１を引手本体８から容易に取外すことができる。従って、引手本体８・９や内ケース１１の交換作業を簡便かつ確実に行うことができる。また、内ケース１１をマイナスドライバーでこじ開ける際に、引手本体８・９や内ケース１１が傷付いて外観が損なわれることもない。
【００４１】
工具溝２０と対向する手掛け凹部２１の外面に工具の先端を受止める係止溝２３を形成したので、例えばマイナスドライバーを工具溝２０に差込んで、内ケース１１をこじ開ける方向に傾けたとき、マイナスドライバーの刃部の先端が係止溝２３で受止められるので、マイナスドライバーによるこじ開け力を、内ケース１１に対して的確に作用させることができる。また、他の辺部より構造強度が大きなケース部１５の上下の辺部のいずれか一方に工具溝２０を設けたので、内ケース１１をこじ開ける際に、内ケース１１の上下壁１１ｃやケース部１５の上下壁１５ｃが変形し、あるいは破損するのをよく防止できる。
【００４２】
引手本体８・９の底壁１５ｂ・１５ｂの間にスペーサー１２を配置し、引手本体８・９を引手ビス１０で締結した状態において、底壁１５ｂ・１５ｂがスペーサー１２で受止められるようにしたので、引手ビス１０が必要以上にねじ込まれて、引手本体８・９の底壁１５ｂ・１５ｂが撓み変形することをスペーサー１２で確実に防止することができる。
【００４３】
引手穴７と引手本体８・９のケース部１５を、それぞれ縦長四角形状に形成し、内ケース１１は縦長四角形状に形成される手掛け凹部２１を備えるようにし、内ケース１１の手掛け凹部２１を引手本体８・９のケース部１５に係合した状態において、手掛け凹部２１の開口面がケース部１５の開口面と面一になるようにした。これによれば、手掛け凹部２１およびケース部１５の開口面に連続して鍔部１６が張出されることとなり、ケース部１５と内ケース１１の一体感を向上することができるので、引手の外観をすっきりさせることができる。
【００４４】
引手本体８・９を、ケース部１５の底壁１５ｂの上下寄りと上下中央に設けた３個の引手ビス１０で締結したので、ケース部１５の底壁１５ｂのうち、上下寄りと上下中央の締結に適した３個所を引手ビス１０で締結できるので、例えば底壁１５ｂの上下のみを引手ビス１０で締結するような場合に比べて、引手本体８・９を確実かつ強固に締結できる。また、突係合体２２と凹係合体１９を、ケース部１５の底壁１５ｂの上下寄りに設けた引手ビス１０の近傍に設けたので、内ケース１１をケース部１５に係合装着し、あるいは、内ケース１１をケース部１５から取り外すような場合に、突係合体２２と凹係合体１９に作用する外力の一部を、強固に締結された上下の引手ビス１０の締結部分に受止めさせることができる。従って、内ケース１１のケース部１５に対する着脱を、より確実に行うことができる。
【００４５】
ねじ部の長さが異なる引手ビス１０と、前後厚みが異なるスペーサー１２を、戸パネル３の厚みの違いに応じて複数種用意するようにしたので、厚みが異なる戸パネル３に引手を装着する場合に、戸パネル３の厚みに応じた引手ビス１０とスペーサー１２を使用することで、主な構造体である引手本体８・９とケース部１５を共通して使用することが可能となる。したがって、引手の全体コストが嵩むのを解消できる。
【００４６】
上記以外に、引手穴７は上下端が半円状に丸められた形状に形成することができる。その場合にはケース部１５の外回り形状を引手穴７の形状に一致させ、ケース部１５の内面形状および内ケース１１の形状を縦長四角形状にするとよい。内ケース１１をケース部１５に装着した状態では、ケース部１５の内面全体が内ケース１１で覆われている必要はなく、少なくともビス頭１０ａが覆われていれば足りる。また、雌ねじ１８は、必ずしもインサート固定されるナット体１８で形成する必要はなく、底壁１５ｂに形成したねじ穴であってもよい。本考案の引手は、引き違い窓等に採用される、ガラスと該ガラスの周縁に固定される枠状フレームとで構成されるガラス窓（戸パネル）にも適用することができる。この場合には枠状フレームに引手穴７が形成される。上記の実施例では、突係合体２２と凹係合体１９を係合して、内ケース１１を引手本体８・９に固定したが、その必要はなく、内ケース１１の底壁１１ｂと引手本体８・９の底壁１５ｂとを両面接着テープを使用して固定してもよい。
【符号の説明】
【００４７】
３  戸パネル
７  引手穴
８・９  引手本体
１０  引手ビス
１０ａ  ビス頭
１１  内ケース
１１ａ  内側壁
１２  スペーサー
１５  ケース部
１５ｂ  底壁
１６  鍔部
１７  ビス座
１８  ナット体（雌ねじ）
１９  凹係合体
２０  工具溝
２１  手掛け凹部
２２  突係合体
２３  係止溝
【図１】
0003230477.tif 000003
【図２】
0003230477.tif 000004
【図３】
0003230477.tif 000005
【図４】
0003230477.tif 000006
【図５】
0003230477.tif 000007
【手続補正書】
【提出日】令和2年11月20日(2020.11.20)
【手続補正１】
【補正対象書類名】実用新案登録請求の範囲
【補正対象項目名】請求項９
【補正方法】変更
【補正の内容】
【請求項９】
ねじ部の長さが異なる引手ビス（１０）と、前後厚みが異なるスペーサー（１２）が、戸パネル（３）の厚みの違いに応じて複数種用意されている請求項５に記載の引手。